(57)【要約】【課題】種々のサイズや歯型形状をもつ歯付ベルトの検尺条件を容易に検索して、検尺することができるコンパクトなベルト検尺システムを提供することを目的とする。【解決手段】歯付ベルトの長さを測定するベルト検尺システムであり、作業者により検尺ベルト７および同ベルトに付帯した現品票から少なくともベルトの歯型、歯数を読み取るとともに、この歯数から検尺に使用するプーリ歯数を選択した後、検尺条件選択番号一覧表２から上記データに合致する検尺条件番号と、上記検尺ベルトの歯数もしくは外周長のサイズデータを演算制御装置４に入力し、該データに基づいて演算制御装置４の演算によって選択したベルト検尺条件を画像に表示し、検尺ベルト７を駆動側と従動側の一対のプーリ１０、１１に所定張力で巻き掛けて走行させながら検尺を行い、画像に表示された測定結果から合否判定を行うことにある。【選択図】図１
2005127755.tif 000002
【特許請求の範囲】
【請求項１】
歯付ベルトの長さを測定するベルト検尺システムであり、
作業者により検尺ベルトおよび同ベルトに付帯した現品票から少なくともベルトの歯型、歯数を読み取るとともに、該歯数から検尺に使用するプーリ歯数を選択した後、
検尺条件選択番号一覧表から上記データに合致する検尺条件番号と、上記検尺ベルトの歯数もしくは外周長のサイズデータを演算制御装置に入力し、
該データに基づいて演算制御装置の演算によって選択したベルト検尺条件を画像に表示し、
検尺ベルトを駆動側と従動側の一対のプーリに所定張力で巻き掛けて走行させながら検尺を行い、
画像に表示された測定結果から合否判定を行う、
ことを特徴とするベルト検尺システム。
【請求項２】
画像に表示されるベルト検尺条件として、少なくとも検尺ベルトの規格値または規格条件である歯型、軸間距離、ベルト外周長、ベルト幅、プーリ歯数、測定荷重、ベルト外周長公差、そしてフレ規格値が含まれる請求項１記載のベルト検尺システム。
【請求項３】
画像に表示される測定結果として、少なくともベルトの外周長の実測値と規格値との差とフレが含まれる請求項１記載のベルト検尺システム。
【請求項４】
画像に表示する測定結果として、合否判定の結果が含まれる請求項３記載のベルト検尺システム。
【請求項５】
演算制御装置のメモリ保存形式として、少なくとも検尺条件番号、ベルト歯型、プーリ歯数、呼称種別、公差種別、ベルト歯部ピッチ、そしてフレ規格値からなる検尺条件Ａと、検尺条件Ａの公差種別と一致する少なくとも検尺条件番号、公差種別、ベルト外周長と外周長の公差を含む検尺条件Ｂを有している請求項１〜４の何れかに記載のベルト検尺システム。
【発明の詳細な説明】
【技術分野】
【０００１】
本発明はベルト検尺システムに係り、詳しくは種々のサイズや歯型形状をもつ歯付ベルトの検尺条件を容易に設定して行うことができるコンパクトなベルト検尺システムに関する。
【背景技術】
【０００２】
従来の歯付ベルトの各部寸法を測定するために検尺装置としては、例えば特許文献１に記載されている。しかし、従来の歯付ベルトの検尺装置は、例えば歯頂部高さや歯底部高さを測定することを主題においており、サイズや歯型の異なる種々の歯付ベルトを検尺できるシステムにつては開示されていない。
【０００３】
従来の歯付ベルトの検尺条件はサイズ別、しかも歯型別でも異なっており、これらを組合せると数千種類にもなる。このため、従来の検尺システムでは、数千種類に対応する検尺条件を例えば事務所に設置したサーバーに登録してデータベース化し、製品に添付した看板のバーコードを検査室に設置したスキャナーで読み取り、そして同位置に設置されたＦＡコンピュータが検索した検尺条件をネットワークによってサーバーから受信していた。ＦＡコンピュータに接続した制御用シーケンサは転送されたデータに基づいて検尺機の測定荷重等を制御してベルト外周長やフレの測定値を取得していた。
【０００４】
しかし、これらのシステムの導入には、事務所と検査室にそれぞれサーバーとＦＡコンピュータを配置してネットワーク化していたために、多くの機器が必要になって機器の導入コストが高くなり、またＦＡコンピュータのソフト開発にも多大な費用を要し、更には大がかりなシステムのために各機器の導入及び設置に時間がかかり、しかもメンテナンスにはある程度の知識を有する選任者を配置する必要があったため、一部のラインでしか採用されていないのが現状であった。このため、コンパクト化した低コストのシステム開発が強く望まれていた。
【０００５】
【特許文献１】特開２００１−１５３６４５号公報
【発明の開示】
【発明が解決しようとする課題】
【０００６】
本願発明では、上記の問題点を解消し、種々のサイズや歯型形状をもつ歯付ベルトの検尺条件を容易に検索して、検尺することができるコンパクトなベルト検尺システムを提供することを目的とする。
【課題を解決するための手段】
【０００７】
本願請求項記載の発明は、歯付ベルトの長さを測定するベルト検尺システムであり、
作業者により検尺ベルトおよび同ベルトに付帯した現品票から少なくともベルトの歯型、歯数を読み取るとともに、該歯数から検尺に使用するプーリ歯数を選択した後、検尺条件選択番号一覧表から上記データに合致する検尺条件番号と、上記検尺ベルトの歯数もしくは外周長のサイズデータを演算制御装置に入力し、該データに基づいて演算制御装置の演算によって選択したベルト検尺条件を画像に表示し、検尺ベルトを駆動側と従動側の一対のプーリに所定張力で巻き掛けて走行させながら検尺を行い、画像に表示された測定結果から合否判定を行うベルト検尺システムにある。
【０００８】
即ち、本ベルト検尺システムでは、歯付ベルトの種類に応じた検尺条件を全て演算制御装置に入力して検索するシステムではなく、作業者が必要とする最小量のデータを現物や現品票から把握し、上記データと検尺条件選択番号一覧表とを照らし合わせて検尺条件番号を選定し、この検尺条件番号とともに現物のサイズデータを演算制御装置に入力して、演算制御装置により演算によって選択したベルト検尺条件を画像に表示するものである。作業者はこの検尺条件に基づいて検尺ベルトを駆動側と従動側の一対のプーリに所定張力で巻き掛けて走行させながら検尺を行い、画像に表示された測定結果によって合否判定を行うことができる極めてコンパクトなベルト検尺システムになる。
【０００９】
また、本願請求項記載の発明では、画像に表示されるベルト検尺条件として、少なくとも検尺ベルトの規格値または規格条件である歯型、軸間距離、ベルト外周長、ベルト幅、プーリ歯数、測定荷重、ベルト外周長公差、そしてフレ規格値が含まれ、また画像に表示する測定結果として合否判定の結果が含まれる。
【００１０】
また、本願請求項記載の発明では、演算制御装置のメモリ保存形式として、少なくとも検尺条件番号、ベルト歯型、プーリ歯数、呼称種別、公差種別、ベルト歯部ピッチ、そしてフレ規格値からなる検尺条件Ａと、検尺条件Ａの公差種別と一致する少なくとも検尺条件番号、公差種別、ベルト外周長と外周長の公差を含む検尺条件Ｂ
を有しており、検尺条件Ａに検尺条件Ｂがリンクするようになり、演算制御装置に入力する検尺条件のメモリ量を少なくすることができる。
【発明の効果】
【００１１】
本発明のベルト検尺システムでは、作業者が必要とする最小量のデータを検尺条件選択番号一覧表に照らし合わせて検尺条件番号を選定し、この検尺条件番号と現物のベルトのサイズデータを入力して、演算制御装置により演算して得られたベルト検尺条件を画像に表示するものであり、作業者はこの検尺条件を基にしてベルトの検尺を行い、画像に表示された測定結果によって合否判定を行うことで、種々のサイズや歯型形状をもつ歯付ベルトの検尺条件を容易に設定して行うことができる。また、演算制御装置に入力する検尺条件のメモリ量を少なくしたことにより低コストのコンパクトなシステムになる。
【発明を実施するための最良の形態】
【００１２】
以下、本発明の実施例を添付図面に従って説明する。図１は本発明に係るベルト検尺システムの全体概略図、図２は本発明において検尺条件設定の流れを示す模式図を示す。
【００１３】
本発明に係るベルト検尺システム１は、検査室内に設置された検尺条件選択番号一覧表２、テンキーの操作盤からなるタッチパネル３、検尺条件を設定しかつこれに基づいて検尺機を制御する例えばシーケンサ（プログラマブルコントローラ）からなる演算制御装置４、そして駆動プーリと移動可能な従動プーリに検尺ベルトを懸架して所定張力下で走行させてベルトの外周長と振れを測定する検尺機５の構成部材からなっている。
【００１４】
上記ベルト検尺システム１では、作業者は検尺ベルト７および同ベルト７に添付した現品票（図示せず）から少なくともベルトの歯型、歯数、その他１を読み取るとともに、この歯数から検尺に使用すべきプーリ歯数を別表して選択する。更に作業者は、上記データと表１に示す検尺条件選択番号一覧表とを照らし合わせて検尺条件番号（例えばＮＯ．２）を選定し、検尺条件番号とともに上記検尺ベルトの歯数もしくは外周長のベルトサイズをタッチパネル３から入力する。
【００１５】
【表１】
2005127755.tif 000003
【００１６】
演算制御装置４はその中に表２に示す検尺条件Ａと表３に示す検尺条件Ｂの２つを保存している。検尺条件Ａはベルトの歯型、プーリ歯数、呼称種別（１は歯数表示、２はｍｍ表示）、その他１（ベルト仕様により１又は２を設定）、その他２（ベルト仕様により０又は１を設定）、公差種別（例えば１〜１０の整数で任意に設定表示）、ベルト歯部ピッチ、そしてフレ規格値をそれぞれ整理番号順に、また検尺条件Ｂは検尺条件Ａの公差種別、ベルト外周長（下限値、上限値）、そして外周長公差（下限値、上限値）を整理番号順の形式に整理されている。
【００１７】
【表２】
2005127755.tif 000004
【００１８】
【表３】
2005127755.tif 000005
【００１９】
演算制御装置４は入力された検尺条件番号（例えばＮＯ．２）と上記検尺ベルトのサイズデータを基にして検尺条件Ａおよびこの条件Ａの公差種別と一致する検尺条件Ｂを選択して、必要とする検尺条件をタッチパネル３の画像に表示する。画像は、図４に示すように検尺ベルトの規格値または規格条件である歯型、軸間距離、ベルト外周長Ｌ、ベルト幅、その他１、プーリ歯数、測定荷重、ベルト外周長公差、そしてフレ規格値が含まれる。
【００２０】
【表４】
2005127755.tif 000006
【００２１】
作業者は、検尺ベルト７を固定した駆動プーリ１０と移動可能な従動プーリ１１にセットし、従動プーリ１１を移動して画像に表示された測定荷重をベルト張力として付与した後、走行させながらベルト外周長Ｍとフレを測定する。計測タッチパネル３の画像には、ベルト外周長として実測値から規格値の差（Ｍ−Ｌ）が表示され、該値がベルト外周長公差の範囲内に入り、かつフレがフレ規格値と同じかもしくは小さい場合には合格の判定を出す。従って、ベルト外周長の差（Ｍ−Ｌ）とフレのいずれか一方が規格値より外れる場合には不合格になる。表４に示された測定結果は、ベルト外周長の差が規格値の範囲外であるため、不合格の場合を示している。
【００２２】
尚、この合否判断は作業者によって行われる場合もあり、また演算制御装置４が行う場合もあり、不合格判断の場合にはアラーム信号が発信される。
【産業上の利用可能性】
【００２３】
本発明は種々のサイズや歯型形状をもつ歯付ベルトの検尺条件を容易に検索して、検尺することができるコンパクトなベルト検尺システムであり、演算制御装置としてシーケンサを使用することができるために、各工場の検査室にのみ設置できるため低コストなものになる。
【図面の簡単な説明】
【００２４】
【図１】本発明に係るベルト検尺システムの全体概略図である。
【図２】本発明において検尺条件設定の流れを示す模式図である。
【符号の説明】
【００２５】
１    ベルト検尺システム
２    検尺条件選択番号一覧表
３    タッチパネル
４    演算制御装置
５    張力演算部
６    検尺機
７    検尺ベルト
１０    駆動プーリ
１１    従動プーリ
【図１】
2005127755.tif 000007
【図２】
2005127755.tif 000008